【事件の表示】
　平成１１年特許願第　３２０８９号「光ディスクおよび光記録再生装置」拒絶査定に対する審判事件［平成１１年１１月　９日出願公開、特開平１１−３１２３１５］について、次のとおり審決する。
【結　論】
　本件審判の請求は、成り立たない。
【理　由】
１．手続の経緯・本願発明
　本件審判の請求に係る特許出願は（以下「本願」という。）は、特願平５−３０４４５５号（平成５年１２月３日出願）の一部が平成１１年２月１０日に新たに出願された分割出願であって、本願請求項に係る発明は、補正可能な期間に提出された平成１３年５月２８日付手続補正書及び平成１４年２月１８日付手続補正書が何れも補正の却下の決定がされ確定していることから、分割当初の明細書及び図面の記載からみて、その特許請求の範囲の【請求項１】乃至【請求項４】に記載されたとおりのものと認められるところ、その請求項１に係る発明は以下のとおりである。
　
　「アドレス情報を記録するためのピットが形成された光ディスクであって、
前記光ディスクの記録または再生を行う光記録再生装置の光源の波長をλとすると、グルーブおよびランドの回転制御情報を記録するために、グルーブがλ／４０〜λ／７の振幅にてウォブリングされたことを特徴とする光ディスク。」（以下、「本願発明」という。）
　
　
２．刊行物及びその記載
　原査定の拒絶理由［１］で引用された刊行物である特開平１−２４１０４３号公報（以下、「刊行物１」という。）、特開平３−１８１０２３号公報（以下、「刊行物２」という。）、特開昭６４−３５７２７号公報（以下、「刊行物３」という。）、及び特開平５−２９８６９７号公（以下、「刊行物４」という。）には以下の記載がされている。
　［刊行物１］
　トラックを構成するグルーブと情報を示すピットとが設けられた光磁気記録媒体でグルーブ間にトラックがあり、そのトラックに情報を示すピットが記録されている光ディスクに関する発明で、以下の記載がある。
　１）トラックを構成するグルーブと情報を示すピットとが設けられ、照射される光を変調して反射することによって情報信号及びトラッキング信号の検出を可能とした光記録媒体において、前記照射する光の波長をλとした・・・（中略）・・・光記録媒体。（特許請求の範囲（１））
　２）第９図において、光記録媒体２９には、後述の光スポットを案内する為のガイド溝（以下、グルーブと称する）２６が設けられており、このグルーブ２６の間が、データを記録するためのトラック２８となっている。このトラックの一部領域（プリフォーマット領域）には、記録されるデータを管理する為の番地、同期信号などの情報が凸または凹状の位相構造より成るピット２５の形態で予め設けられている。（第２頁左上欄第９行〜１７行目）
　３）第１図に示される光記録媒体４には、予めグルーブ２が設けられ、トラック３を構成している。また、このトラック３のプリフォーマット領域には、番地、同期信号などの情報を示すピット１が設けられている。（第３頁右上欄第２０行〜同頁左下欄第５行目）
　４）第５図は、本願発明の光記録媒体の他の実施例を示す概略斜視図である。・・・（中略）・・・本実施例は、ピット１とグルーブ２の断面形状を台形状としたものである。（第４頁右上欄第１１行〜第１５行目）
　
　［刊行物２］
　グルーブ間のトラックにデータピットが形成され、グルーブ自体はウォーブリングしている光ディスク記録再生担体に関するもので、以下の記載がある。
　１）同心円またはスパイラル状に記録再生トラックを形成する光ディスクのトラッキング案内溝（プリグルーブ）が、該ディスクの内周方向と外周方向とにトラッキングのサーボ帯域を越える周波数成分で微小変位（ウォブリング）された円盤状光記録再生単体において、予め記録すべきコードデータの真・偽に対応して上記ウォブリングを間欠的に記録することを特徴とする光ディスク記録再生担体。（特許請求の範囲１．）
　２）上記ウォーブリングを間欠的に記録することが、ウォブリングの振幅を変化させて記録するものである。（特許請求の範囲２．）　
　３）上記ウォーブリングを間欠的に記録することが、ウォブリングの変位周期を変えて記録するものである。（特許請求の範囲３．）
　４）トラッキングのサーボ帯域（通常は３０００Hz〜５０００Hz）以上の高周波でウォブリングされているプリグルーブからの反射回析光は、ウォブリング状態波形をトラッキングエラー情報として包含している。（第３頁右下欄第２行〜第６行目）
　５）また、ウォブリングデータはその原理から線速度情報も包含しており、線速度一定（ＣＬＶ）の光ディスク装置を容易に実現できる・・・。（第７頁左下欄第１２行〜第１４行目）。
　
　［刊行物３］
　ウオブリングされた溝内に、情報パターンを形成した光ディスクで、以下の記載がある
　１）光ディスクを再生するときのトラッキングエラーの検出方式のひとつとしてウオブリング方式が知られている。ウオブリング方式の具体的な形態のひとつは、ウオブリングした溝（グルーブ）を光ディスクに予め形成（プリフォーマット）し、トラッキングエラークロックなどの情報をプッシュプル信号で取り出す方式である。（第１頁右下欄第１４行〜第２頁左上欄第１行目）
　２）ウオブリングされたグルーブ間の領域即ち、ランドに記録されることが考えられる。（第２頁左上欄第１６行〜１７行目）
　３）光ディスク１は、第２図に拡大して示すように、ウオブリングするグルーブ２がプリフォーマットされている。（第２頁左下欄第１６行〜第１８行目）
　
　［刊行物４］　
　ＲＯＭデータのピットが形成された再生専用のＲＯＭ領域と、トラッキング用のグルーブが形成されレーザ光の露光によりデータ記録が可能な記録可能領域とを有する光ディスクで、以下の記載がある。
　１）【０００１】【産業上の利用分野】本発明は、ハイブリッドタイプのＣＤ−Ｒメディア等として用いられる光ディスク及び光ディスク原盤露光装置に関する。
　２【０００２】【従来の技術】従来、オーディオ信号をデシタル化して光学的に記録したコンパクトディスク（ＣＤ）や各種の辞典類のデータを記録したＣＤ−ＲＯＭ、さらには、追記型の光ディスクや書替え可能な光ディスクが広く知られている。また、近年では、ＣＤフォーマットの追記型や書替え可能な光ディスク、さらには、ＲＯＭ領域と、記録可能領域とを有する光ディスクが提案されている。
　３）【０００３】このようなＲＯＭ領域と、記録可能領域とを含むハイブリッドタイプのＣＤ−Ｒメディアにおいては、ＲＯＭ領域にはＲＯＭデータのピットが形成され、記録可能領域にはトラッキング用のグルーブ（溝）が形成されている。また、この場合、これらのピット及びグルーブはウォブルしており、そのウォブル量を絶対時間のデータによって変調することにより、ディスク上の絶対アドレスの検出を行うことができる。ウォブル量は、例えば、トラックピッチが１．６μｍの時、約３０ｎｍとされており、ウォブル周波数は２２．０５ＫＨｚに設定されている。従来では、光ディスク原盤露光時に、ピットとグルーブとを等しいウォブル量にしていた。
　４）【００１３】・・・、請求項１記載の発明の第二の実施例について説明する。ここでは、前述した第一の実施例の具体例と比較して、プリピット１のウォブル振幅Ａｐを４８ｎｍに設定した場合の例について述べたものである。・・・
　５）【００１５】・・・、プリグルーブ２のウォブル振幅：３０ｎｍ・・・。
　
　
３．対比・判断
　本願発明と上記刊行物１記載の発明とを対比すると、刊行物１記載の“トラックを構成するグルーブと情報を示すピットとが設けられ、照射される光を変調して反射することにより情報信号及びトラッキング信号の検出を可能とした光記録媒体”“光記録媒体４には、予めグルーブ２が設けられ、トラック３を構成している。また、このトラック３のプリフォーマット領域には、番地、同期信号などの情報を示すピット１が設けられている”は本願発明の「アドレス情報を記録するためのピットが形成された光ディスク」であり、また図面からみて「ランド」は“グルーブ間領域”に形成されていることは明らかである。
　また、“照射する光の波長λ”は「光ディスクの記録または再生を行う光記録再生装置の光源の波長をλとして」に相当することも自明である。
　要するに、本願発明と刊行物１記載の発明との一致点及び相違点は以下のとおりである。
　
〔一致点〕　
　「アドレス情報を記録するためのピットが形成された光ディスクであって、
前記光ディスクの記録または再生を行う光記録再生装置の光源の波長をλとして、グルーブおよびランドを（有する）光ディスク」の点。
　
〔相違点〕
　ａ）本願発明ではグルーブおよびランドが「ウォブリングされた」構成であるものの、刊行物１記載の発明にはこの点の構成がない点。
　
　ｂ）本願発明では、ウォブリングが「グルーブおよびランドの回転制御情報を記録するために、グルーブがλ／４０〜λ／７の振幅にてウォブリングされた」構成であるが、刊行物１記載の発明にはこの点の構成がない点。
　
〔判断〕
　相違点ａ）に関して、
　グルーブおよびランドが各種情報を記録するために「ウォブリングされた」構成は、上記刊行物２〜４に記載があるように特段の構成でなく、光ディスク及び光記録再生装置で共通している刊行物１へは適宜採用できるものである。
　相違点ｂ）に関して、
　本願発明の「回転制御情報を記録するため」とは、この表現手段から必ずしもその構成を容易に理解できない。そこで、本願発明の詳細な説明を参酌するに「ウォブリング周波数に基づいてトラッキングエラー信号を検出することで、光ディスクを回転駆動する駆動手段としてのスピンドルモータの回転制御を行うことができる」（本願：【００２０】）、「光ディスク１のランド１ｂのトレース時において隣接するグルーブのウォブリング周波数を検出することができる。これによって、このウォブリング周波数をスピンドルモータ１２の回転制御に適用することができるので、光ディスク１のＣＬＶ制御をグルーブ１ａおよびランド１ｃとも容易に行うことができる」（本願：【００４０】）との各記載があることから、グルーブのウォブリング周波数に基づいて回転制御情報を得ていくと解釈できる。
　しかしながら、当該事項は、刊行物２のものにトラッキングエラー信号について“・・・ウォブリング状態波形をトラッキングエラー情報として包含している”（上記［刊行物２］４））、速度情報について“ウォブリングデータはその原理から線速度情報も包含しており、線速度一定（ＣＬＶ）の光ディスク装置を容易に実現できる”（上記［刊行物２］５））とあるように、「（ウォブリングデータによる）回転制御情報を記録するため」の記載が実質的にあり、刊行物１のものにウォブリングを採用していくに際し、前記構成は必要に応じて適宜成し得るものである。
　次に、「λ／４０〜λ／７の振幅にてウォブリング」であるが、上記刊行物４において対象とする光ディスクおよび光記録再生装置は、通常的に“光の波長λ＝０．７８μｍ”である。これを踏まえ計算すれば、ウォブル振幅３０ｎｍではλ／２６、ウォブル振幅３６ｎｍではλ／２１．７、さらにウォブル振副４８ｎｍではλ／１６となり、何れも「λ／４０〜λ／７の振幅にてウォブリング」の範囲に包含される構成となる。また、原査定の拒絶理由［２］の指摘事項であるが、当該数値限定について本願明細書を参酌しても特段有利な意義を見いだすことができないもので、最適なトラッキングエラー情報等回転速度制御を実現していく段階での必然的ないし当然に成す限定範囲とも解される。
　何れにしても、当該事項の刊行物１への採用は適宜に成し得るものである。
　
　
４．むすび
　したがって、本願発明は、上記刊行物１記載の発明に刊行物２〜刊行物４記載の発明を周知技術を勘案しながら適宜組合わせていくことで当業者が容易に発明をすることができたものであるから、特許法第２９条第２項の規定により特許を受けることができない。
　　
　よって、結論のとおり審決する。